(57)【要約】【課題】下枠の形状的な変更及び重量増を可及的回避しつつ、パネルに対するズレを防止することができるパネル枠体構造を提供する。【解決手段】平板状のパネル１と、該パネル１の縁部を覆うビード２と、該ビード２を介してパネル１の縁部に係合した状態で鉛直状に立設された支柱２０間に架け渡されてパネル１を起立姿勢に保持する枠体３とを備え、枠体３は、少なくともパネル１の上縁部と嵌合してパネル１を懸下した状態で保持する上保持枠部４と、パネル１の下縁部を覆って設けられる下枠部５とを備えると共に、下枠部５とパネル１とを連結する下枠連結部材７を備え、下枠部５は、両端部が支柱２０に支持されると共に、両端部の間の１又は複数位置が下枠連結部材７を介して前記パネルに連結されている。【選択図】    図１
2010138651.tif 000002
【特許請求の範囲】
【請求項１】
鉛直状に立設された複数の支柱間に設けられるパネル枠体構造であって、平板状のパネルと、該パネルの縁部を覆うビードと、該ビードを介して前記パネルの縁部に係合した状態で前記支柱間に架け渡されて前記パネルを起立姿勢に保持する枠体とを備え、
枠体は、少なくとも前記パネルの上縁部と嵌合して前記パネルを懸下した状態で保持する上保持枠部と、前記パネルの下縁部を覆って設けられる下枠部とを備えると共に、該下枠部と前記パネルとを連結する下枠連結部材を備え、該下枠部は、両端部が支柱に支持されると共に、当該両端部の間の１又は複数位置が前記下枠連結部材を介して前記パネルに連結されている
ことを特徴とするパネル枠体構造。
【請求項２】
前記枠体は、前記上保持枠部と前記パネルとを連結する上枠連結部材を備え、前記上保持枠部は、両端部が前記支柱間に架け渡されると共に、当該両端部の間の１又は複数位置が前記上枠連結部材を介して前記パネルに連結されている
ことを特徴とする請求項１に記載のパネル枠体構造。
【請求項３】
鉛直状に立設された支柱の側部に設けられるパネル枠体構造であって、平板状のパネルと、該パネルの縁部を覆うビードと、該ビードを介して前記パネルの縁部に係合した状態で前記支柱に持ち出し梁状に取り付けられて前記パネルを起立姿勢に保持する枠体とを備え、
枠体は、少なくとも前記パネルの上縁部と嵌合して前記パネルを懸架した状態で保持する上保持枠部と、前記パネルの下縁部を覆って設けられる下枠部とを備えると共に、該下枠部と前記パネルとを連結する下枠連結部材を備え、該下枠部は、一方の端部が前記支柱に支持されると共に、他方の端部が前記下枠連結部材を介して前記パネルに連結されている
ことを特徴とするパネル枠体構造。
【請求項４】
前記枠体は、前記上保持枠部と前記パネルとを連結する上枠連結部材を備え、前記上保持枠部は、一方の端部が前記支柱に支持されると共に当該一方の端部が前記上枠連結保持部材を介して前記パネルに連結されている
ことを特徴とする請求項３に記載のパネル枠体構造。
【請求項５】
前記パネル、ビード及び枠体を１対備え、各パネルの他方の側縁どうしを有角状に対向させると共に各パネルを枠体により夫々保持することで隅部が形成されていることを特徴とする請求項３又は請求項４に記載のパネル枠体構造。
【請求項６】
前記下枠部は、前記パネルの縁部を長さ方向に亘って挟持する一対の挟持片を備え、
前記パネルは、前記下枠部に覆われる下縁部に貫通孔が形成されており、
前記下枠連結部材は、前記パネルの貫通孔を貫通して前記一対の挟持片に架設される軸部材を備えていることを特徴とする請求項１乃至請求項５の何れかに記載のパネル枠体構造。
【請求項７】
前記下枠連結部材は、前記挟持枠部の一対の挟持片に螺合締結されていることを特徴とする請求項６に記載のパネル枠体構造。
【請求項８】
鉛直状に立設された支柱の側部に持ち出し梁状に取り付けられた枠体と、縁部をビードによって覆われ且つ該ビードを介して前記枠体に起立姿勢で保持された平板状のパネルと、を備え、前記枠体は、少なくとも前記パネルの上縁部と嵌合して前記パネルを懸架した状態で保持する上保持枠部と、前記パネルの下縁部を覆って設けられる下枠部とを備えると共に、該下枠部と前記パネルとを連結する下枠連結部材を備え、該下枠部は、一方の端部が前記支柱に支持されると共に、他方の端部が前記下枠連結部材を介して前記パネルに連結されているパネル枠体構造を有し、
一対の前記パネル枠体構造を各パネルの他方の側縁どうしを有角状に対向させると共に各パネルを枠体により夫々保持することで隅部が形成されていることを特徴とする柵構造。
構造。
【請求項９】
前記枠体は、前記上保持枠部と前記パネルとを連結する上枠連結部材を備え、前記上保持枠部は、一方の端部が前記支柱に支持されると共に当該一方の端部が前記上枠連結保持部材を介して前記パネルに連結されている
ことを特徴とする請求項８記載の柵構造。
【発明の詳細な説明】
【技術分野】
【０００１】
本発明は、バルコニーや屋上に設ける手摺や柵に利用して有利なパネル枠体構造及び柵構造に関する。
【背景技術】
【０００２】
一般に、バルコニーや廊下等に設けられる手摺は、床フレーム上に適宜間隔で支柱を配設し、これら支柱上に上下枠を横架して手摺フレームを形成し、この手摺フレームの開口部にパネルを取り付けて構成されている。
【０００３】
当該開口部にパネルを取り付ける構造とてしては、様々なものが提案されているが、特許文献１においては、ガラス窓を枠体に収める構造として、枠体に嵌合溝を形成し、当該嵌合溝にガラス窓を嵌合組込みしてガラス窓を枠体に嵌め込む構造が開示されており、当該構造を上記手摺フレームに適用して、支持枠及び上下枠に溝状のパネル差込み保持部を設け、このパネル差込み保持部に目隠しパネルを差し込む構成が考えられる。
【０００４】
【特許文献１】特開平６−２４０９５６号公報
【発明の開示】
【発明が解決しようとする課題】
【０００５】
しかしながら、上記パネル枠体構造においては、下枠を左右の支柱に架け渡された状態で床面から離間させて架設させた場合、当該下枠に子供等の歩行者が乗りかかることが考えられ、これによって、下枠に過大な荷重が加わることとなり、当該荷重によって下枠が変形し、遂には下枠がパネルから外れてしまう虞がある。かかる問題を解決すべく、下枠の強度向上を図るために丈を長くしたり、下枠を形成する板要素の板厚を増したり、さらには、下枠内部に補強材を入れることで強度向上を図ることが考えられるが、この種の態様は下枠の形状的な制約を増大させ、意匠上の自由さを損なう結果となる。のみならず、下枠の重量増に繋がり、この場合、支柱のスパンを長大に設定すると当該下枠が自重によって撓んでしまう虞もあった。
【０００６】
そこで、本発明は、下枠の形状的な変更及び重量増を可及的回避しつつ、パネルに対するずれを防止することができるパネル枠体構造を提供することを目的とする。
【課題を解決するための手段】
【０００７】
上記課題解決のための具体的手段として、本願発明に係るパネル枠体構造は、
（１）鉛直状に立設された複数の支柱間に設けられる枠体構造であって、平板状のパネルと、該パネルの縁部を覆うビードと、該ビードを介して前記パネルの縁部に係合した状態で前記支柱間に架け渡されて前記パネルを起立姿勢に保持する枠体とを備え、枠体は、少なくとも前記パネルの上縁部と嵌合して前記パネルを懸下した状態で保持する上保持枠部と、前記パネルの下縁部を覆って設けられる下枠部とを備えると共に、該下枠部と前記パネルとを連結する下枠連結部材を備え、該下枠部は、両端部が支柱に支持されると共に、当該両端部の間の１又は複数位置が前記下枠連結部材を介して前記パネルに連結されていることを特徴としている。
【０００８】
これによれば、下枠部は、両端部が支柱に支持されると共に、両端部間の１又は複数の位置がパネルを介して上保持枠部に支持される。したがって、下枠部は、両端部の間にも上保持枠部に懸架される懸架部を有することとなって複数のスパンに分節されることとなり、これによって、当該スパン間に外荷重が作用する場合であっても、当該外荷重によるモーメントは低減されることとなり、この結果、当該外荷重に起因するパネルに対する下枠部のずれは著しく抑制されることとなるのである。また、下枠部と下枠連結部材とは別部材となっているため下枠部の形状や重量は可及的維持することができ、また、当該連結部材は、下枠部の長尺方向の１又は複数箇所のみをパネルに連結される構成であるため、きわめて軽量であり、当該下枠連結部材が下枠部に対し荷重負担となる虞もない。
【０００９】
（２）また、前記枠体は、前記上保持枠部と前記パネルとを連結する上枠連結部材を備え、前記上保持枠部は、両端部が前記支柱間に架け渡されると共に、当該両端部の間の１又は複数位置が前記上枠連結部材を介して前記パネルに連結されている
ことが好ましい。
【００１０】
これによれば、上保持枠部とパネルとのずれ止めが防止される。これにより、例え上記荷重が過大であって下枠部のみならずパネルにまで作用する場合であっても、当該上保持枠部に対してパネルがずれ落ちてしまうことはなく、パネルの姿勢を維持することが可能となっているである。
【００１１】
（３）また、上記課題解決のための具体的手段として、本願発明に係る他のパネル枠体構造は、鉛直状に立設された支柱の側部に設けられる枠体構造であって、平板状のパネルと、該パネルの縁部を覆うビードと、該ビードを介して前記パネルの縁部に係合した状態で前記支柱に持ち出し梁状に取り付けられて前記パネルを起立姿勢に保持する枠体とを備え、枠体は、少なくとも前記パネルの上縁部と嵌合して前記パネルを懸架した状態で保持する上保持枠部と、前記パネルの下縁部を覆って設けられる下枠部とを備えると共に、該下枠部と前記パネルとを連結する下枠連結部材を備え、該下枠部は、一方の端部が前記支柱に支持されると共に、他方の端部が前記下枠連結部材を介して前記パネルに連結されていることを特徴としている。
【００１２】
上記構成においては、下枠部を所謂片持ち梁状態と見なすことができ、この場合、上記他方の端部は、片持ち梁の先端部となり、当該箇所に押圧荷重が作用するときわめて大きなモーメントが下枠部に作用し、当該下枠部が容易にずれ落ちてしまうことが考えられる。そこで、上述の如く、当該下枠部の他方の端部に下枠連結部材を設けることにより、下枠部は、一方の端部が支柱に支持されると共に他方の端部がパネルを介して上保持枠部に保持され、この結果、下挟持枠部の長尺方向に全体に亘る撓みを防止することができる。
【００１３】
（４）また、前記枠体は、前記上保持枠部と前記パネルとを連結する上枠連結部材を備え、前記上保持枠部は、一方の端部が前記支柱に支持されると共に当該一方の端部が前記上枠連結保持部材を介して前記パネルに連結されていることが好ましい。
【００１４】
上記構成において、下枠部の他方の端部に押圧荷重が作用すると、上保持枠部においては支柱側の端部となる一方の端部とパネルとの間に極めて大きなモーメントが作用することとなる。そこで当該箇所に上枠連結部材を設けてパネルと上保持枠部とを連結することとし、これによって、上保持枠部とパネルとのずれ止めが防止される。
【００１５】
（５）また、前記パネル、ビード及び枠体を１対備え、各パネルの他方の側縁どうしを有角状に対向させると共に各パネルを枠体により夫々保持することで隅部が形成されていることが好ましい。
【００１６】
これによれば、隅部のエッジとなる位置に支柱が不要となり、意匠性を向上させることが可能となる。
【００１７】
（６）また、前記下枠部は、前記パネルの縁部を長さ方向に亘って挟持する一対の挟持片を備え、前記パネルは、前記下枠部に覆われる下縁部に貫通孔が形成されており、
前記下枠連結部材は、前記パネルの貫通孔を貫通して前記一対の挟持片に架設される軸部材を備えていることが好ましい。
【００１８】
これによれば、パネルの下縁部は下枠部の一対の挟持片に挟持されること保持され、これによって下枠部とパネルとの一次的な連結保持状態が形成され、下枠部の自重や通常予想される負荷荷重によるパネルに対する下枠部の撓み等の垂れ下がりは防止される。さらに、軸部材がパネル下縁部の貫通孔を貫通して挟持片に設けられることで下枠部とパネルとの二次的な連結保持状態が形成されることとなり、これによって枠体のパネルからの抜けが完全に防止され、上記負荷荷重を超える予想外の荷重が下枠部に付与される場合であっても、パネルからの下枠部の離脱を防止することができるのである。
【００１９】
（７）また、前記下枠連結部材は、前記挟持枠部の一対の挟持片に螺合締結されていることが好ましい。
【００２０】
これにより、下枠連結部材の外れが防止されることとなると共に、適当な締結力を付与することによりパネルと一対の挟持片との間の水密性を向上させることができる。
【００２１】
また本願発明に係る柵構造は、
（８）鉛直状に立設された支柱の側部に持ち出し梁状に取り付けられた枠体と、縁部をビードによって覆われ且つ該ビードを介して前記枠体に起立姿勢で保持された平板状のパネルと、を備え、前記枠体は、少なくとも前記パネルの上縁部と嵌合して前記パネルを懸架した状態で保持する上保持枠部と、前記パネルの下縁部を覆って設けられる下枠部とを備えると共に、該下枠部と前記パネルとを連結する下枠連結部材を備え、該下枠部は、一方の端部が前記支柱に支持されると共に、他方の端部が前記下枠連結部材を介して前記パネルに連結されているパネル枠体構造を有し、一対の前記パネル枠体構造を各パネルの他方の側縁どうしを有角状に対向させると共に各パネルを枠体により夫々保持することで隅部が形成されていることを特徴としている。
【００２２】
これによれば、柵の隅部のエッジとなる位置に支柱を設ける必要がなく、意匠性を向上させることが可能となる。
【００２３】
（９）前記枠体は、前記上保持枠部と前記パネルとを連結する上枠連結部材を備え、前記上保持枠部は、一方の端部が前記支柱に支持されると共に当該一方の端部が前記上枠連結保持部材を介して前記パネルに連結されていることが好ましい。
【００２４】
これによれば、パネルの上部を上保持枠部の支柱側の端部に連結するため、パネルに鉛直方向の力が作用したとき、この力を上保持枠部を介して支柱によって支持することができる。
【発明の効果】
【００２５】
本発明のパネル枠体構造によれば、下枠の形状的な変更及び重量増を可及的に回避しつつ、下枠のパネルに対するずれを防止することができる。
【発明を実施するための最良の形態】
【００２６】
以下、本発明に係るパネル枠体構造と柵構造の最良の実施形態について説明する。
【実施例１】
【００２７】
先ず、第１実施例に係るパネル枠体Ａの構成について図を用いて説明する。図１は第１実施例に係るパネル枠体Ａの構成を説明する図である。
【００２８】
図に示すパネル枠体Ａは、平板状のパネル１と、このパネル１の縁部を覆うビード２と、ビード２を介してパネル１の縁部に係合して該パネル１を保持する枠体３と、を有している。前記枠体３は、パネル１の上縁部と嵌合して該パネル１を懸下した状態で保持する上保持枠部４と、パネル１の下縁部を覆って設けられた下枠部５と、を備えると共に下枠部５とパネル１の下端部を連結する１または複数の下枠連結部材７を備えている。
【００２９】
パネル１としては平板状のパネルであれば良く、材質や厚さ、幅、長さ等の仕様を限定するものではなく、設置位置や設置目的に応じて、軽金属板からなるパネルや合成樹脂パネル等のパネルを選択的に採用することが可能である。本実施例では、ポリカーボネイト板を採用している。
【００３０】
ビード２は、パネル１の縁部を覆って配置され、該縁部が枠体３に係合される際の緩衝材となるものである。このため、枠体３との係合部位の全域にわたって配置されることで、パネル１の縁部を覆っている。
【００３１】
枠体３は、パネル１の上縁部を嵌合して配置される上保持枠部４とパネル１の下縁を覆う下枠部４とを有している。しかし、上保持枠部４と下枠部５のみによって枠体３を構成することに限定するものではなく、パネル１の縦方向の両端縁を覆う縦枠部６を設けることも可能である。
【００３２】
例えば、対峙する一対の支柱２０の間隔が長く、枠体３に複数のパネル１を連設してパネル枠体Ａを構成するような場合、意匠上、隣接するパネル１の端部を直接接触させることが好ましいことがある。この場合、個々のパネル１の両端縁を覆う縦枠部は不要である。しかし、支柱に接続される位置に配置されたパネル１では、少なくとも支柱２０に対向する端部は、縦枠部６によって覆われている。
【００３３】
上保持枠部４は、本体部４ａと、本体部４ａに形成された溝４ｂと、本体部４ａの上部に形成された取付部４ｃと、を有して構成されている。本体部４ａは略コ字状の中空材として構成されており、コ字部分に溝４ｂが形成されている。前記溝４ｂはパネル１の厚さと、該パネル１の縁部を覆うビード２の寸法に応じた幅寸法を有しており、パネル１の上縁部分をビード２を介して嵌合することで溝４ｂの両壁がビード２を介してパネル１の上縁部を挟持し、これによって上枠保持部４によってパネル１を懸下し得るように構成されている。また上部に形成された取付部４ｃは、笠木や手摺等を取り付けることが可能なように構成されている。
【００３４】
下枠部５は、パネル１の下縁部を覆うことが可能な形状を持って構成されている。パネル１の下縁部を覆うとは、実質的にパネル１の下縁部分が覆われていれば良く、覆った形状を限定するものではない。即ち、下枠部５に溝を形成しておきこの溝にビード２を介してパネル１の下縁部分を嵌合させて覆っても良く、また下枠部５に平坦面を形成しておきこの平坦面にビード２を介してパネル１の下縁部分を当接させて覆っても良い。何れにしても、パネル１の下縁部分が覆われていることが必要であり、この下縁部分が覆われていれば形状を限定するものではない。
【００３５】
本実施例では、下枠部５は、本体部５ａと、本体部５ａに形成された溝５ｂと、本体部５ａの側面に形成された補強部５ｃと、を有して構成されている。本体部５ａは略コ字状の中空材として構成されており、コ字部分に溝５ｂが形成されている。溝５ｂはパネル１の厚さと、該パネル１の縁部を覆うビード２の寸法に応じた幅寸法を有しており、パネル１の下縁部分をビード２を介して嵌合することで保持し得るように構成されている。従って、本体部５ａは、上保持枠部４の本体部４ａと略同じ断面形状を持って構成されている。補強部５ｃは中空状に形成されており、下枠部５に作用する力に対抗し得るように構成されている。
【００３６】
上記の如く構成された下枠部５では、溝５ｂにパネル１の下縁部分が嵌合されて覆われる。このため、溝５ｂを構成する両側の片がパネル１の下縁部分を挟持する挟持片としての機能を有する。当該溝５ｂ及び挟持片の構造は、上保持枠部４も同様の構成である。しかし、挟持片が上保持枠部４と下枠部５とで同じ形状のもので構成されることに限定するものではなく、下枠部５においては、薄い板をＵ字状に成形して該成形材によってパネル１の下縁部分を覆うように構成し、Ｕ字状の両側を構成する片を挟持片としても良いことは当然である。
【００３７】
縦枠部６の形状は特に限定するものではなく、本実施例では、上保持枠部４の本体部４ａと同じコ字状の断面形状を有する中空の部材によって構成されている。そして、コ字状の部分に形成された溝にパネル１の縦方向の縁部分を嵌合することで保持し得るように構成されている。
【００３８】
下枠連結部材７はパネル１と下枠部５を連結して両者間に生じるずれを防ぐ機能を有するものであり、この機能を発揮し得るものであれば形状を限定するものではない。このような下枠連結部材７としては、下枠部５の一部とパネル１を貫通して設けたピンや棒材を含む軸状体、或いはビスを含むねじ等を選択的に採用することが可能である。
【００３９】
本実施例では、下枠連結部材７としてタッピングビスからなる締結材（下枠締結材）７を用いており、この締結材７を、下枠部５の長手方向略中央部にて一対の狭持片間に貫通させるべく、パネル１の下端部には、当該締結材７を貫通させる位置に貫通孔（図示せず）が形成されている。そして、締結材７を貫通孔を貫通させた状態で一対の狭持片間に締結させることで、下枠部５とパネル１とが連結されている。
【００４０】
締結材７によって下枠部５とパネル１とを連結する箇所は少なくとも１箇所あれば良く、それ以上の連結数を限定するものではないが、下枠部５に付与されるであろう荷重との関係に鑑み可及的少なくすることが好ましい。この様にタッピングビス等により可及的小さく形成される締結材７を可及的少なく設けることにより、意匠的な観点からみた締結材７の印象は小さいものとなり、当該締結材７の有無によってパネル枠構造の全体的な意匠性に異なる印象を与える虞はない。また、枠体３に複数枚のパネル１が配置されるような場合、夫々のパネル１毎は少なくとも１箇所で下枠締結材７によって下枠部５と連結されることが必要である。従って、下枠締結材７の配置数は、下枠部５の長さ（パネル１の横寸法、或いはパネル１の枚数）との関係で適宜設定することが好ましい。
【００４１】
上記の如く構成されたパネル枠体Ａは、図３に示すように、建物の屋上から鉛直方向に立設された複数の支柱２０の間に配置され、上保持枠部４の両端、及び下枠部５の両端が夫々支柱２０に架け渡されて接続されている。また、下枠部５は屋上の床面から離間して設けられている。即ち、枠体３は両端部分が支柱２０の間に架け渡されており、この状態でパネル１を起立保持している。
【００４２】
支柱２０は予め設定された間隔を持って立設されており、この支柱２０の構造については特に限定するものではない。即ち、支柱２０を立設する構造は建物の構造や仕様に応じて夫々適宜設定されているのであり、本発明では、予め複数の支柱２０が鉛直状に立設されていれば良い。
【００４３】
本実施例では、支柱２０は断面が長方形の中空材によって構成されており、図示しない建物の躯体に固定された支柱補助材２１を嵌装することで立設されている。尚、本発明において、支柱２０が鉛直状に立設されている、とは、厳密な意味で鉛直である必要はなく、鉛直方向に対し多少の傾斜が生じていても鉛直とみなすことが可能であれば含むものである。
【００４４】
また、支柱２０に対するパネル枠体Ａの接続構造も特に限定するものではなく、通常の手摺柵で採用される接続構造を採用している。
【００４５】
上記の如くして支柱２０の間にパネル枠体Ａを架け渡している状態においては、下枠部５は、パネル１の下縁部を狭持をしており、これによってパネル１と下枠部５とは一次的な連結状態が形成されている。かかる連結保持状態が形成されることにより、周囲の温度状態の変化に伴うパネル１に歪み等を生じる場合であっても、該パネル１の起立状の姿勢は維持されることとなるのである。また、下枠部５に荷重等が作用する場合であっても、ある程度の大きさの荷重までは下枠部５によるパネル下縁部の挟持力によって抵抗することができ、これによって当該一次的な連結保持状態は維持されることとなるのである。
【００４６】
また、下枠部５とパネル１とは、締結材７を介しても二次的に連結されているので、このパネル枠体Ａの下枠部５の補強部５ｃに子供が乗る等して想定外の荷重が下枠部５に作用する場合であっても、当該荷重は締結材７を介してパネル１に伝えられることとなり、これによって、下枠部５は締結材７及びパネル１を介して上保持枠部４に懸下されることとなるのである。また、締結材７は下枠部５の長手方向中央部に設けられているため、下枠部５は端部が支柱２０に支持されると共に中央部がパネル１を介して上保持枠部４に支持されることとなり、これによって、下枠部５に荷重を作用させる場合のモーメントの腕の長さを半分とすることができ、この結果、当該荷重による下枠部５に作用するモーメントを小さくすることができるものとなる。また、この様に腕の長さが半分となるため、下枠部５の撓みも小さくすることができる。さらには、締結材７がパネル１を貫通して下枠部５に架設締結される構成であるため、下枠部５のパネル１に対するずれ落ちは防止されることとなるのである。
【００４７】
尚、図示してはいないが、上保持枠部４とパネル１を上枠連結部材によって連結しておくことが好ましい。上枠連結部材としては、下枠連結部材となる締結材７をそのまま採用することが可能である。このように、上保持枠部４とパネル１を締結材７によって連結しておくことで、下枠部５に荷重が作用したとき、この荷重を下枠部５、パネル１、上保持枠部４の全体で支持することが可能となる。このため、下枠部５、パネル１、上保持枠部４に相対的なずれが生じることがない。
【実施例２】
【００４８】
次に、第２実施例に係るパネル枠体Ｂの構成について図２により説明する。図２は第２実施例に係るパネル枠体Ｂの構成を説明する図であり、（ｂ）は（ａ）のＢ−Ｂ断面、（ｃ）は（ａ）のＣ−Ｃ断面を説明する図である。尚、前述した第１実施例と同一の部分及び同一の機能を有する部分には同一の符号を付して説明を省略する。
【００４９】
図に示すパネル枠体Ｂは、枠体１３が支柱に対し持ち出し梁（片持ち梁）状に取り付けられている点で前述のパネル枠体Ａと異なるが、枠体１３を構成する上保持枠部４、下枠部５の形状は同じである。
【００５０】
枠体１３を構成する上保持枠部４と下枠部５は縦枠部６を介して接続されると共に、図３に示すように、該縦枠部６が支柱２０に取り付けられることで、夫々一方側の端部が実質的に支柱２０に支持されている。従って、上保持枠部４、下枠部５は夫々一端が固定され他端が自由端となる持ち出し梁状に構成されている。
【００５１】
パネル１は上縁部分がビード２を介して上保持枠部４の溝４ｂに嵌合されて懸下した状態で保持され、下縁部分が下枠部５の溝５ｂに嵌合されて覆われている。パネル１と下枠部５とは、下枠部５の自由端側に設けた締結材７によって連結されている。
【００５２】
このように、下枠部５の自由端側で、該下枠部５とパネル１を連結することによって、持ち出し梁状に設けた下枠部５に下向き荷重が作用する場合であっても下枠部５が垂れ下がるようなことがなく、下枠部５のパネル１からの脱落は防止されることとなる。
【００５３】
本実施例のパネル枠体Ｂでは、下枠部５の自由端側でパネル１と連結されているのに加えて、パネル１と上保持枠部４とを、該上保持枠部４の固定端側（縦枠部６側、支柱２０側）に設けた締結材７によって連結している。
【００５４】
上記の如く、持ち出し梁状の枠体１３を有するパネル枠体Ｂでは、下枠部５とパネル１とを自由端側で連結し、且つ上保持枠部４とパネル１とを固定端側で連結している。このため、下枠部５に下向きの大きな荷重が作用したような場合、この荷重はパネル１を介して上保持枠部４の固定端にも伝えられる。
【００５５】
即ち、下枠部５に作用する荷重を、持ち出し梁状の下枠部５のみで支持するのではなく、上保持枠部４によっても支持することが可能となる。そして、上保持枠部４とパネル１との連結部位が支柱側に接近した位置となることから、該上保持枠部４の支柱側の端部に大きなモーメントが作用するものの、当該モーメントの作用による上保持枠部４からのパネル１の脱落は防止される。なお、上保持枠部４の自由端側は、下枠部５に作用する荷重の影響をほとんど受けることがなく、持ち出し梁状に構成されていながら、特別に断面性能を向上させる必要もない。
【実施例３】
【００５６】
次に、上記各実施例に示されるパネル枠体Ａ、Ｂを利用して構成した手摺柵Ｃについて図を用いて説明する。図３は本実施例に係る手摺柵の隅部を含む一部を展開した図である。図４は隅部の断面図である。図５は本実施例に係る手摺柵を設置した建物を説明する図である。
【００５７】
図３に示す手摺柵Ｃは、図５に示す建物Ｄの屋上を、例えば屋上緑化としての緑地を形成したり、他の目的で使用するような場合、この緑地或いは使用領域の外縁を囲うように形成されるものである。この手摺柵Ｃは、建物Ｄの屋上から鉛直状に立設した複数の支柱２０を有しており、これらの支柱２０によってパネル枠体Ａ、Ｂを支持することで構成されている。
【００５８】
手摺柵Ｃの直線状の部分では、隣接する支柱２０の間に１又は複数のパネル１を有するパネル枠体Ａが配置されている。即ち、パネル枠体Ａを構成する枠体３の上保持枠部４、下枠部５が支柱２０の間に架け渡されており、両端が支柱２０に接続されて支持されている。
【００５９】
手摺柵Ｃの隅部では、該隅部を挟んで配置された支柱２０に対し、夫々パネル枠体Ｂが持ち出し梁状に支持されている。本実施例では、２つのパネル枠体Ｂによって角度が９０度の隅部が構成されている。
【００６０】
即ち、予め２つのパネル枠体Ｂが用意されており、これらのパネル枠体Ｂを構成する上保持枠部４、下枠部５の自由端を対向させて当接されたときに角度が９０度となるように４５度に形成しておく。これら２つのパネル枠体Ｂを、枠体１３の自由端側どうしを対向させ、図３、図４に示すように、両方の上保持枠部４の取付部４ｃにわたって補助板２５を配置して図示しないリベットによって固定することで連結する。また両方の下枠部５にわたってブラケット２６、アングル２７を配置してリベット２８によって固定することで連結する。
【００６１】
上記の如くして２つのパネル枠体Ｂを保持板２５、ブラケット２６、アングル２７を介して連結することによって、互いの上保持枠部４、下枠部５は夫々一体化することとなる。従って、一体的に連結された２つのパネル枠体Ｂの縦枠部６を支柱２０に取り付けて該支柱２０によって支持させることで、手摺柵Ｃの隅部が構成される。
【００６２】
複数のパネル枠体Ａ、Ｂを支柱２０によって支持した後、隅部に対応する部分では、支柱２０の隅部側に接続されるパネル枠体Ｂの取付部４ｃと、直線状部に接続されるパネル枠体Ａの取付部４ｃとにわたって補強材３１を取り付ける。
【００６３】
その後、夫々のパネル枠体Ａ、Ｂを構成する上保持枠部４の取付部４ｃに、接続部分にジョイントピース３２ａを介在させて笠木３２を取り付ける。更に、下枠部５に下部カバー３３を取り付けることで、手摺柵Ｃが構成される。
【００６４】
上記の如く構成された手摺柵Ｃでは、隅部に配置された２つのパネル枠体Ｂが、該隅部を挟んで配置された２本の支柱２０から夫々持ち出し梁状に支持されており、これらのパネル枠体Ｂを構成する上保持枠部４、下枠部５を保持板２５、ブラケット２６、アングル２７を介して連結されている。このため、頂部となる位置に支柱を配置することなく隅部を構成することが可能となり、意匠上有利である。
【００６５】
また、各パネル枠体Ａ、Ｂが、下枠部５とパネル１とが締結材７によって連結されているため、当該隅部においても、下枠部５に子供が乗る等して想定外の荷重が作用したような場合でも、下枠部５が単独で撓んでしまったりすることは可及的防止されることとなる。このため、下枠部５とパネル１との間にずれが生じることがない。
【産業上の利用可能性】
【００６６】
本発明に係るパネル枠体は、建物の屋上に構成する手摺柵のみならず、ベランダやバルコニーや外廊下等、囲いや柵を有する外部空間の外縁に沿って形成される手摺柵を含む手摺柵に利用して有利である。
【図面の簡単な説明】
【００６７】
【図１】第１実施例に係るパネル枠体Ａの構成を説明する図である。
【図２】第２実施例に係るパネル枠体Ｂの構成を説明する図であり、（ｂ）は（ａ）のＢ−Ｂ断面、（ｃ）は（ａ）のＣ−Ｃ断面である。
【図３】本実施例に係る手摺柵の隅部を含む一部を展開した図である。
【図４】隅部の断面図である。
【図５】本実施例に係る手摺柵を設置した建物を説明する図である。
【符号の説明】
【００６８】
Ａ、Ｂ                パネル枠体
Ｃ                    手摺柵
Ｄ                    建物
１                    パネル
２                    ビード
３                    枠体
４                    上保持枠部
４ａ                  本体部
４ｂ                  溝
４ｃ                  取付部
５                    下枠部
５ａ                  本体部
５ｂ                  溝
５ｃ                  補強部
６                    縦枠部
７                    下枠連結部材、締結材
１３                  枠体
２０                  支柱
２１                  支柱補助材
２５                  補助板
２６                  ブラケット
２７                  アングル
２８                  リベット
【図１】
2010138651.tif 000003
【図２】
2010138651.tif 000004
【図３】
2010138651.tif 000005
【図４】
2010138651.tif 000006
【図５】
2010138651.tif 000007